【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
基端と末端を有する細長い本体と、
患者の血管の体内非結像超音波情報を提供するように構成された細長い本体に設けた非結像超音波トランスデューサと、
細長い本体が血管内にあるときに血管内心電図リード線電気検出セグメントが患者の生体心電図信号を提供する位置にある、細長い本体に設けた血管心電図リード線と、
非結像超音波トランスデューサからの信号と血管内心電図リード線からの信号を受信して処理するように構成されたプロセッサと、
上記プロセッサで処理された情報の結果を表示するように構成された出力装置を備えた、血管アクセス及びガイダンスシステム。
【請求項２】
上記出力装置は患者の血管内で上記細長い本体の一部に関連する結果を表示する、請求項１の血管アクセス及びガイダンスシステム。
【請求項３】
上記プロセッサは、上記非結像超音波トランスデューサからの信号を処理し、上記非結像超音波トランスデューサの視野に構造の存在に関連した情報を上記出力装置に示すように構成されている、請求項１の血管アクセス及びガイダンスシステム。
【請求項４】
上記プロセッサで処理された情報の結果は、生体の非結像超音波情報と生誕の心電図情報に基づいて、血管内の細長い本体の位置又は移動の指標を含む、請求項１の血管アクセス及びガイダンスシステム。
【請求項５】
上記プロセッサは、
静脈血流方向、静脈血流速度、静脈血流特性パターン、圧力特性パターン、Ａモード情報、及び流れの優先的な非ランダム方向からなる群の少なくとも一つからの信号を有する非結像超音波トランスデューサからの信号を受信し処理し、また、心電図信号、Ｐ波パターン、ＱＲＳ群パターン、Ｔ波パターン、ＥＥＧ信号、及びＥＭＧ信号からなる群の少なくとも一つからなる、血管内心電図リード線からの信号を受信して処理するように、上記プロセッサが構成されている、請求項１の血管アクセス及びガイダンスシステム。
【請求項６】
心電図信号に応答して超音波トランスデューサを駆動するように構成された超音波トランスデューサに接続されたドライバを含む、請求項１の血管アクセス及びガイダンスシステム。
【請求項７】
超音波トランスデューサに接続されたドライバは、複数の超音波送信モードで超音波トランスデューサを駆動するように構成されている、請求項１の血管アクセス及びガイダンスシステム。
【請求項８】
血管内心電図リード線の末端側に配置された細長い本体上の第２の血管内心電図リード線を有し、上記プロセッサは第２の血管内心電図リード線からの信号を受信して処理するように構成されている、請求項１の血管アクセス及びガイダンスシステム。
【請求項９】
上記プロセッサは、血管内心電図リード線からの信号と第２の血管内部心電図リード線からの信号を比較するように構成されている、請求項８の血管アクセス及びガイダンスシステム。
【請求項１０】
血管内心電図リード線からの信号は目標の心電図信号を含み、第２の血管内心電図リード線は基準心電図信号を含む、請求項９の血管アクセス及びガイダンスシステム。
【請求項１１】
上記目標の心電図信号と上記基準心電図信号がＥＣＧ、ＥＭＧ、又はＥＥＧに関連付けられる、請求項１０の血管アクセス及びガイダンスシステム。
【請求項１２】
上記プロセッサは、非結像超音波トランスデューサから受信した信号と血管内心電図リード線から受信した信号を記憶するように構成されている、請求項１の血管アクセス及びガイダンスシステム。
【請求項１３】
上記プロセッサは、血管心電図リード線から受信した信号に対応する非結像超音波トランスデューサから受信した記憶された信号の一部を処理するように構成されている、請求項１２の血管アクセス及びガイダンスシステム。
【請求項１４】
血管内心電図リード線から受信した信号がＰ波を含む、請求項１３の血管アクセス及びガイダンスシステム。
【請求項１５】
血管の生理学的パラメータを検出する別のセンサを有し、上記センサは細長い本体に沿って配置されており、上記プロセッサは上記別のセンサからの信号を受信して処理するように構成されている、請求項１の血管アクセス及びガイダンスシステム。
【請求項１６】
血管の生理学的パラメータを検出する上記別のセンサは、圧力センサ又は光学センサである、請求項１５の血管アクセス及びガイダンスシステム。
【請求項１７】
基端と末端を有する細長い本体と、
上記細長い本体上の非結像超音波トランスデューサと、
上記血管内装置が血管内にあるときに上記血管内心電図リード線が血液と接する位置にある上記細長い本体上の血管内心電図リード線を有する、血管内装置。
【請求項１８】
上記血管内心電図リード線が、上記細長い本体の末端に配置されている、請求項１７の血管内装置。
【請求項１９】
血管内心電図リード線の上記電気検出セグメントが非結像超音波トランスデューサの近傍に配置されている、請求項１７の血管内装置。
【請求項２０】
上記血管内装置が血管内にあるときに上記血管内心電図リード線が血液と接する位置にある上記細長い本体に設けた第２の血管内心電図リード線を有する請求項１７の血管内装置。
【請求項２１】
上記第２の血管内心電図リード線の上記電気検出セグメントが上記血管内心電図リードから所定距離の位置に配置されており、上記血管内心電図リード線が目標の心電図信号を検出しているとき、上記第２の血管内心電図リード線は基準心電図信号を検出する、請求項２０の血管内装置。
【請求項２２】
上記血管内心電図リード線が目標の上大静脈にあるときに上記第２の血管内心電図リード線が上大静脈の外側にあるように、上記第２の血管内心電図リード線の上記電気検出セグメントが上大静脈の長さに関連する距離の位置に配置されている、請求項２０の血管内装置。
【請求項２３】
上記血管内心電図リード線の電気検出セグメントが心臓からの目標血管内心電図信号を検出するように配置されているときに上記第２の血管内心電図リード線の電気検出セグメントが比較用の基準ＥＣＧ信号を検出するように配置されるように、上記第２の血管内部心電図リード線の電気検出セグメントが配置されている、請求項２０の血管内装置。
【請求項２４】
上記血管内心電図リード線の電気検出セグメントが脳からの目標血管内心電図信号を検出するように配置されているときに上記血管内心電図リード線が比較用の基準ＥＥＧ信号を検出するように配置されるように、上記第２の血管内部心電図リード線の電気検出セグメントが配置されている、請求項２０の血管内装置。
【請求項２５】
上記血管内心電図リード線の電気検出セグメントが筋肉からの目標血管内心電図信号を検出するように配置されているときに上記第２の血管内心電図リード線の電気検出セグメントが比較用の基準ＥＭＧ信号を検出するように配置されるように、上記第２の血管内部心電図リード線の電気検出セグメントが配置されている、請求項２０の血管内装置。
【請求項２６】
上記血管内心電図リード線は、細長い本体内に収容された状態から上記細長い本体の外側に展開した状態に移動可能である、請求項１７の血管内装置。
【請求項２７】
上記収容された状態の血管内心電図リード線は、血管内装置の末端を曲がる、請求項２６の血管内装置。
【請求項２８】
上記血管内心電図リード線が収容された状態にあるとき、上記電気検出セグメントは心電図信号を検出するように配置されている、請求項２６の血管内装置。
【請求項２９】
上記細長い本体の基端を方向付けるために上記血管内リード線に接続された装置要素を有する、請求項１７の血管内装置。
【請求項３０】
上記操縦要素は、上記細長い本体の末端にトルクを与える、請求項２９の血管内装置。
【請求項３１】
上記血管内心電図リード線は、使用時に、上記細長い本体の周り少なくとも一部の沿って伸びる、請求項１７の血管内装置。
【請求項３２】
上記血管内心電図リード線は、形状記憶合金から形成されている、請求項１７の血管内装置。
【請求項３３】
上記血管内心電図リード線は、上記超音波センサを血管壁から離すために使用されるように構成されている、請求項１７の血管内装置。
【請求項３４】
上記血管内装置は被覆された金属網状構造を有し、上記金属網状構造上の被覆の一部が除去されており、露出した金属網状構造は血管内心電図リード線電気検出セグメントとして機能する、請求項１７の血管内装置。
【請求項３５】
上記血管内装置の末端に、組織に傷を付けない先端を有する、請求項１７の血管内装置。
【請求項３６】
上記組織に傷を付けない先端は、超音波レンズを有する、請求項３５の血管内装置。
【請求項３７】
上記超音波レンズは拡散レンズである、請求項３６の血管内装置。
【請求項３８】
上記細長い本体に設けた開口と、上記開口と上記細長い本体の基端に接続された細長い本体内のルーメンを有する、請求項１７の血管内装置。
【請求項３９】
生理学的パラメータを測定するために、上記血管内装置に設けた別のセンサを有し、
上記別のセンサが光学センサで、上記生理学的パラメータは、血管内で検出された光学特性に関連している、又は
上記別のセンサが圧力センサで、上記生理学的パラメータが、血管内部で取得された圧力測定値に関連している、若しくは、
上記別のセンサが音響センサで、上記生理学的パラメータが、血管内で検出された音響信号に関連している、請求項１７の血管内装置。
【請求項４０】
上記細長いフレキシブルな部材がカテーテルを有する、請求項１７の血管アクセス及びガイダンスシステム。